(57)【要約】【課題】豪雪地帯のように、日常的に除雪作業が必要となる地域において、大変な重労働である屋根の雪下ろし、競技場、公園、歩道等に降り積もった大量の雪の除去を１人でも容易に、安全にかつ効率的に行うことができるようにする。【解決手段】コンプレッサ２から供給される高圧の圧縮空気をノズル５から超高速かつ大風量で強力に噴出させ、屋根９及び地上等に降り積もった雪１１を吹き飛ばして除去し、該雪１１を除去した箇所に温水を吹き付けて残りの雪１１を液化又は気化させて除去する構成を特徴とする。【選択図】        図７
2004346584.tif 000002
【特許請求の範囲】
【請求項１】
降り積もった雪に対して圧縮空気を吹き付けて該雪を除去することを特徴とする除雪方法。
【請求項２】
コンプレッサから供給される圧縮空気をノズルから噴出させ、該圧縮空気を降り積もった雪に対して吹き付けて該雪を除去することを特徴とする除雪方法。
【請求項３】
コンプレッサから供給される高圧の圧縮空気をノズルから超高速かつ大風量で強力に噴出させ、降り積もった雪を吹き飛ばして除去することを特徴とする除雪方法。
【請求項４】
コンプレッサから供給される高圧の圧縮空気をノズルから超高速かつ大風量で強力に噴出させ、屋根に降り積もった雪を吹き飛ばして地上に落下させることを特徴とする除雪方法。
【請求項５】
作業者が高所作業車のバケットに乗り、コンプレッサに接続されたノズルを手に持ち、前記コンプレッサから供給される高圧の圧縮空気を前記ノズルから超高速かつ大風量で強力に噴出させ、屋根に降り積もった雪を吹き飛ばして地上に落下させることを特徴とする除雪方法。
【請求項６】
コンプレッサから供給される圧縮空気をノズルから噴出させ、該圧縮空気を降り積もった雪に対して吹き付けて該雪を適宜量除去してから、該雪を除去した箇所に温水を吹き付けて残りの前記雪を液化又は気化させて除去することを特徴とする除雪方法。
【請求項７】
圧縮空気で吹き飛ばすことができない程度に固まっている雪を予め雪かきで除去しておき、コンプレッサから供給される圧縮空気をノズルから噴出させ、該圧縮空気を固まっていない雪に対して吹き付けて該雪を適宜量除去してから、該雪を除去した箇所に温水を吹き付けて残りの前記雪を液化又は気化させて除去することを特徴とする除雪方法。
【請求項８】
圧縮空気を生成するコンプレッサと、該コンプレッサに接続されたホースと、該ホースに着脱自在に接続され手持ちできる適度な長さに形成されると共に長手方向に貫通した握り部と、該握り部の先端に着脱自在に取り付けられ前記コンプレッサから前記ホース及び前記握り部を通じて供給される前記圧縮空気を噴出させるノズルとを備えたことを特徴とする除雪装置。
【発明の詳細な説明】
【０００１】
【発明の属する技術分野】
本発明は、圧縮空気を直接雪に吹き付けるようにした除雪方法及び装置に係り、特に屋根の雪下ろし、競技場、公園又は歩道等に降り積もった雪の除去を１人でも容易に、安全にかつ効率的に行うことができる除雪方法及び装置に関する。
【０００２】
【従来の技術】
豪雪地帯の一般家庭においては、屋根の雪下ろしを日常的に行っているが、その作業は、家人が屋根に登り、スコップ等を使用して屋根に降り積もった雪を、地上に落とすという重労働であり、しかも転落事故もあとを絶たない。老人の一人暮らしの家庭、母子家庭等、体力のある男性がいない家庭では、自分達では雪下ろしをすることができないため、他人に雪下ろしを依頼するなど、雪対策に苦慮している。
【０００３】屋根から落下させた雪及びもともと地上に降り積もっている雪は、女性又は子供でも有る程度除雪することができるが、やはり相当な重労働であり、特に氷塊のように固まってしまうと、人力による除去は大変に骨が折れる作業となる。
【０００４】豪雪地帯のように、日常的に除雪作業が必要となる地域では、除雪機、除雪車等も使用されるが、従来のものは雪を掻き込んで飛ばしたり、道路の端に押しのけたりするものであった。
【０００５】なお、本願出願人及び発明者は、本願発明に関連する公知特許文献及び公知非特許文献を知らないので、その記載を省略する。
【０００６】
【発明が解決しようとする課題】
本発明は、上記した従来技術の欠点を除くためになされたものであって、その目的とするところは、降り積もった雪に対して圧縮空気を吹き付けて該雪を除去することによって、容易に、効率的にかつ安全に除雪作業を行うことができるようにすることである。
【０００７】また他の目的は、コンプレッサから供給される圧縮空気をノズルから噴出させ、該圧縮空気を降り積もった雪に対して吹き付けて該雪を除去することによって、ノズルを手に持って雪に向ければ該雪を吹き飛ばすことができるようにすることであり、またこれによって豪雪地帯における老人の一人暮らしの家庭、母子家庭等、体力のある男性がいない家庭であっても、これらの家庭から委託された業者により除雪作業を容易かつ安全に行うことができるようにすることである。
【０００８】更に他の目的は、コンプレッサから供給される高圧の圧縮空気をノズルから超高速かつ大風量で強力に噴出させ、降り積もった雪を吹き飛ばして除去することによって、一般家屋の屋根、その他の建物の屋根、歩道、競技場及び公園等に大量に降り積もった雪を効率的に除去することができるようにすることであり、またこれによって雪下ろしや除雪という重労働の軽減、雪下ろしに伴う事故の防止、通行の安全確保及び種々の施設の屋根の保全を容易化することである。
【０００９】また他の目的は、コンプレッサから供給される高圧の圧縮空気をノズルから超高速かつ大風量で強力に噴出させ、屋根に降り積もった雪を吹き飛ばして地上に落下させることによって、豪雪地帯における屋根の雪下ろしを容易かつ効率的に行うことができるようにすることであり、またこれによって雪下ろしや除雪という重労働の軽減、雪下ろしに伴う事故の防止、通行の安全確保及び種々の施設の屋根の保全を容易化することである。
【００１０】更に他の目的は、作業者が高所作業車のバケットに乗り、コンプレッサに接続されたノズルを手に持ち、コンプレッサから供給される高圧の圧縮空気をノズルから超高速かつ大風量で強力に噴出させ、屋根に降り積もった雪を吹き飛ばして地上に落下させることによって、屋根に登ることなく安全に雪下ろしができるようにすることであり、またこれによって雪下ろし時の転落事故を未然に防止することである。
【００１１】また他の目的は、上記方法により、雪を適宜量除去してから、該雪を除去した箇所に温水を吹き付けて残りの前記雪を液化又は気化させて除去することによって、雪を吹き飛ばすだけでなく、雪自体を消滅させることができるようにすることである。
【００１２】更に他の目的は、圧縮空気で吹き飛ばすことができない程度に固まっている雪を予め雪かきで除去してから、上記方法により雪を除去することによって、圧縮空気による雪の吹飛し作業を効率的に行うことができるようにすることである。
【００１３】また他の目的は、圧縮空気を生成するコンプレッサと、該コンプレッサに接続されたホースと、該ホースに着脱自在に接続され手持ちできる適度な長さに形成されると共に長手方向に貫通した握り部と、該握り部の先端に着脱自在に取り付けられコンプレッサからホース及び握り部を通じて供給される圧縮空気を噴出させるノズルとを備えることによって、降り積もった雪を圧縮空気により吹き飛ばすことができるようにすることであり、またこれによって重労働である除雪作業を一人でも容易に、安全にかつ効率的に行うことができるようにすることである。
【００１４】
【課題を解決するための手段】
要するに本発明方法（請求項１）は、降り積もった雪に対して圧縮空気を吹き付けて該雪を除去することを特徴とするものである。
【００１５】また本発明方法（請求項２）は、コンプレッサから供給される圧縮空気をノズルから噴出させ、該圧縮空気を降り積もった雪に対して吹き付けて該雪を除去することを特徴とするものである。
【００１６】また本発明方法（請求項３）は、コンプレッサから供給される高圧の圧縮空気をノズルから超高速かつ大風量で強力に噴出させ、降り積もった雪を吹き飛ばして除去することを特徴とするものである。
【００１７】また本発明方法（請求項４）は、コンプレッサから供給される高圧の圧縮空気をノズルから超高速かつ大風量で強力に噴出させ、屋根に降り積もった雪を吹き飛ばして地上に落下させることを特徴とするものである。
【００１８】また本発明方法（請求項５）は、作業者が高所作業車のバケットに乗り、コンプレッサに接続されたノズルを手に持ち、前記コンプレッサから供給される高圧の圧縮空気を前記ノズルから超高速かつ大風量で強力に噴出させ、屋根に降り積もった雪を吹き飛ばして地上に落下させることを特徴とするものである。
【００１９】また本発明方法（請求項６）は、コンプレッサから供給される圧縮空気をノズルから噴出させ、該圧縮空気を降り積もった雪に対して吹き付けて該雪を適宜量除去してから、該雪を除去した箇所に温水を吹き付けて残りの前記雪を液化又は気化させて除去することを特徴とするものである。
【００２０】また本発明方法（請求項７）は、圧縮空気で吹き飛ばすことができない程度に固まっている雪を予め雪かきで除去しておき、コンプレッサから供給される圧縮空気をノズルから噴出させ、該圧縮空気を固まっていない雪に対して吹き付けて該雪を適宜量除去してから、該雪を除去した箇所に温水を吹き付けて残りの前記雪を液化又は気化させて除去することを特徴とするものである。
【００２１】また本発明装置（請求項８）は、圧縮空気を生成するコンプレッサと、該コンプレッサに接続されたホースと、該ホースに着脱自在に接続され手持ちできる適度な長さに形成されると共に長手方向に貫通した握り部と、該握り部の先端に着脱自在に取り付けられ前記コンプレッサから前記ホース及び前記握り部を通じて供給される前記圧縮空気を噴出させるノズルとを備えたことを特徴とするものである。
【００２２】
【発明の実施の形態】
以下本発明を図面に示す実施例に基いて説明する。本発明に係る除雪装置１は、図１から図８において、コンプレッサ２と、ホース３と、握り部４と、ノズル５とを備えている。
【００２３】コンプレッサ２は、図７及び図８に示すように、圧縮空気を生成する、例えば約３７ｋＷ（５０ＰＳ）程度の出力を有する市販の業務用空気圧縮機であって、例えば高所作業車６、トラック等（図示せず）の車輛に備え付けて用いるようになっている。
【００２４】ホース３は、コンプレッサ２に接続されたものであって、該コンプレッサ２で生成された圧縮空気をノズル５へ導くための耐圧ホースであり、図７に示すように、例えば作業者１０が高所作業車６のバケット８に乗って、屋根９に降り積もった雪１１の雪下ろしをする場合には、ノズル５が屋根９の上まで届くだけの長さを必要とする。公園又は競技場等（図示せず）で使用する場合には、作業範囲とホース３の取回しを考慮して長さを定めることができる。
【００２５】ホース３の先端には、図５及び図６に示すように、ソケット１２が取り付けられている。
【００２６】握り部４は、図５及び図６に示すように、ホース３に着脱自在に連通接続され、手持ちできる適度な長さに形成されると共に、長手方向に貫通したものであって、後端部にホース先端のソケット１２がワンタッチで着脱可能となるプラグ１３が取り付けられ、先端部にはノズル５と接続するためのニップル１４が取り付けられている。なお、握り部４にはバルブを設けてもよい。圧縮空気の噴出及び停止を手元で切り換えることができる便利さがあるからである。
【００２７】ノズル５は、図１から図６に示すように、握り部４の先端に着脱自在に取り付けられ、コンプレッサ２からホース３及び握り部４を通じて供給される圧縮空気を噴出させるように構成されたものであって、後端部に取り付けられたブッシング１５と連通した空洞５ａが形成され、該空洞５ａは先端に向かって絞り込まれ、先端にノズル口５ｂが開口している。ブッシング１５には、握り部４のニップル１４が接続されるようになっている。
【００２８】ノズル口５ｂは、例えば幅が２００ｍｍ、高さが４０ｍｍ程度の長方形に形成されているが、形状はこれに限られるものではない。
【００２９】また、ノズル５の代わりに、図９から図１１に示すように、ノズル口１６ｂの先まで底面１６ｃを延長したノズル１６を使用してもよい。ノズル１６の後端部にブッシング１５が取り付けられ、内部に空洞１６ａが形成されていることは、ノズル５と同様である。
【００３０】このほか、除雪装置１により除雪作業を行うに際し用いるものとして、図７において、台車１９に取り付けられた高圧温水洗浄機２０、図１２から図１７に示すような、雪かき２１がある。
【００３１】高圧温水洗浄機２０は、例えば白灯油を燃料として使用する市販のものであって、雪１１を液化又は気化させて溶かすのに十分な熱量を発するように構成されている。例えば株式会社洲本整備機製作所製の高圧温水洗浄機を用いるが、その能力は型式により異なるが、最も出力の大きい型式ＨＷ−２００２−Ｎでは、洗浄吐出量は毎時２０００リットルであり、最高／常用吐出圧力は７．８４ＭＰａ（８０ｋｇ／ｃｍ２  ）、洗浄モータ出力は７．５ｋｗ（１０．２ＰＳ）、温水温度は１５℃から８０℃の範囲で調節可能であり、雪を短時間に溶かすのに十分な能力を備えている。台車１９上には、このような高出力の高圧温水洗浄機２０が例えば１台乃至２台設置されている。
【００３２】雪かき２１は、頭部２２と、握り部２３とから構成されている。頭部２２は、例えば左右の側面２２ａ、背面２２ｂ及び上面２２ｃにより４方向が囲まれ、正面側と下面側の２方向が開放されるように形成され、雪１１を手前側に引き寄せるようにして雪かきできるように構成されている。
【００３３】側面２２ａ、背面２２ｂ及び上面２２ｃは、リブ２２ｄにより夫々補強されており、雪１１のうち固まった部分を難なく除去できるようになっている。
【００３４】握り部２３は、図１６に示すように、頭部２２の上面２２ｃに形成された差込み穴２２ｅに差し込んだ後、例えば複数のねじ２４により締付け固定されるようになっており、かつ伸縮式に構成されている。
【００３５】そして本発明方法（請求項１）は、降り積もった雪１１に対して圧縮空気を吹き付けて該雪１１を除去する方法である。
【００３６】また本発明方法（請求項２）は、コンプレッサ２から供給される圧縮空気をノズル５から噴出させ、該圧縮空気を降り積もった雪１１に対して吹き付けて該雪１１を除去する方法である。
【００３７】また本発明方法（請求項３）は、コンプレッサ２から供給される高圧の圧縮空気をノズル５から超高速かつ大風量で強力に噴出させ、降り積もった雪１１を吹き飛ばして除去する方法である。
【００３８】また本発明方法（請求項４）は、コンプレッサ２から供給される高圧の圧縮空気をノズル５から超高速かつ大風量で強力に噴出させ、屋根９に降り積もった雪１１を吹き飛ばして地上に落下させる方法である。
【００３９】また本発明方法（請求項５）は、作業者１０が高所作業車６のバケット８に乗り、コンプレッサ２に接続されたノズル５を手に持ち、コンプレッサ２から供給される高圧の圧縮空気をノズル５から超高速かつ大風量で強力に噴出させ、屋根９に降り積もった雪１１を吹き飛ばして地上に落下させる方法である。
【００４０】また本発明方法（請求項６）は、コンプレッサ２から供給される圧縮空気をノズル５から噴出させ、該圧縮空気を降り積もった雪１１に対して吹き付けて該雪１１を適宜量除去してから、該雪１１を除去した箇所に温水を吹き付けて残りの雪１１を液化又は気化させて除去する方法である。
【００４１】また本発明方法（請求項７）は、圧縮空気で吹き飛ばすことができない程度に固まっている雪１１を予め雪かき２１で除去しておき、コンプレッサ２から供給される圧縮空気をノズル５から噴出させ、該圧縮空気を固まっていない雪１１に対して吹き付けて該雪１１を適宜量除去してから、該雪１１を除去した箇所に温水を吹き付けて残りの雪１１を液化又は気化させて除去する方法である。
【００４２】本発明は、上記のように構成されており、以下その作用について説明する。図５において、ホース３を通じて高圧の圧縮空気を矢印Ａ方向に送り込むと、ノズル５から圧縮空気が矢印Ｂ方向に超高速かつ大風量で強力に噴出する。
【００４３】ここで、コンプレッサ２の出力が約３７ｋＷ（５０ＰＳ）の場合、例えば５ｍ３  ／ｍｉｎの空気量を吐出できるので、ノズル５のノズル口５ｂの面積が例えば２００ｍｍ×４０ｍｍ＝８０００ｍｍ２  ＝０．００８ｍ２  であるとすると、５／０．００８＝６２５ｍ／ｍｉｎ≒１０．４ｍ／ｓの風速が得られる。
【００４４】ノズル口５ｂの面積が更に小さく、例えば０．００４ｍ２  であれば、約２０ｍ／ｓの風速が得られることになり、コンプレッサ２の仕様により、吐出圧力は例えば０．７ＭＰａであるので、固まらずに降り積もっている雪１１であれば、容易に吹き飛ばすことができる。
【００４５】例えば屋根９の雪下ろし作業であれば、図７に示すように、高所作業車６をアウトリガ６ａにより地面２５に安定させておき、バケット８に作業者１０が乗り、屋根９に届くまでブーム６ｂを伸ばし、該屋根９に降り積もった雪１１にノズル５を向けて圧縮空気を矢印Ｂ方向に噴出すれば、雪１１は該圧縮空気により次々と吹き飛ばされて地上に落下する。
【００４６】このとき作業者１０は、屋根９に登る必要がないので安全であり、また圧縮空気を利用していることにより、人力で雪下ろしをすることに比較すると作業が非常に容易である。
【００４７】雪下ろしにより屋根９から地上に落ちた雪１１、又は初めから地上に降り積もっている雪１１に対しては、高圧温水洗浄機２０から温水を矢印Ｃ方向に吹き付けることにより、短時間で液化又は気化させて除去することができる。高圧温水洗浄機２０は、例えば毎時９００リットルの温水吹出し性能を有しており、最高温水温度は８０℃まで上げられるので、かまくらのような大きな穴（図示せず）が容易にできる程、効率的に雪１１を溶かすことが可能である。
【００４８】地上の雪１１を圧縮空気により除去する場合には、図８に示すように、作業者１０は地上で握り部４を手に持って、ノズル５を雪１１に向け、矢印Ｂ方向に圧縮空気を噴出すれば、雪１１を吹き飛ばして除去することができ、人が通ることができる程度の通路の確保は容易に行うことができる。なお、コンプレッサ２にもう一組のホース３、握り部４及びノズル５を取り付けることができれば、２人で除雪作業を行うことができるので、更に効率的である。
【００４９】圧縮空気で吹き飛ばすことができない程度に固まっている雪１１については、図１７に示すように、雪かき２１の頭部２２を雪１１に被せて掻き込むように矢印Ｄ方向に引き寄せて除去してしまえば、その下の雪１１が固まっていなければ、上記したように、圧縮空気により吹き飛ばすことができる。
【００５０】雪かき２１の頭部２２は、リブ２２ｄにより補強されているので、従来の樹脂製の雪かきでは歯が立たないような固く重い雪１１でも容易に除去することができる。また雪かき２１の握り部２３は、伸縮式となっているので、使用しないときには、短く縮めておくことができ、使用時には適宜長さに伸ばすことができる。
【００５１】
【発明の効果】
本発明は、上記のように降り積もった雪に対して圧縮空気を吹き付けて該雪を除去するようにしたので、容易に、効率的にかつ安全に除雪作業を行うことができるという効果がある。
【００５２】またコンプレッサから供給される圧縮空気をノズルから噴出させ、該圧縮空気を降り積もった雪に対して吹き付けて該雪を除去するようにしたので、ノズルを手に持って雪に向ければ該雪を吹き飛ばすことができる効果があり、またこの結果豪雪地帯における老人の一人暮らしの家庭、母子家庭等、体力のある男性がいない家庭であっても、これらの家庭から委託された業者により除雪作業を容易かつ安全に行うことができるという効果がある。
【００５３】更には、コンプレッサから供給される高圧の圧縮空気をノズルから超高速かつ大風量で強力に噴出させ、降り積もった雪を吹き飛ばして除去するようにしたので、一般家屋の屋根、その他の建物の屋根、歩道、競技場及び公園等に大量に降り積もった雪を効率的に除去することができる効果があり、またこれによって雪下ろしや除雪という重労働の軽減、雪下ろしに伴う事故の防止、通行の安全確保及び種々の施設の屋根の保全を容易化することができるという効果が得られる。
【００５４】またコンプレッサから供給される高圧の圧縮空気をノズルから超高速かつ大風量で強力に噴出させ、屋根に降り積もった雪を吹き飛ばして地上に落下させるようにしたので、豪雪地帯における屋根の雪下ろしを容易かつ効率的に行うことができるようになる効果があり、またこの結果雪下ろしや除雪という重労働の軽減、雪下ろしに伴う事故の防止、通行の安全確保及び種々の施設の屋根の保全を容易化することができる効果がある。
【００５５】更には、作業者が高所作業車のバケットに乗り、コンプレッサに接続されたノズルを手に持ち、コンプレッサから供給される高圧の圧縮空気をノズルから超高速かつ大風量で強力に噴出させ、屋根に降り積もった雪を吹き飛ばして地上に落下させるようにしたので、屋根に登ることなく安全に雪下ろしができるようになる効果があり、またこの結果雪下ろし時の転落事故を未然に防止できる効果がある。
【００５６】また上記方法により、雪を適宜量除去してから、該雪を除去した箇所に温水を吹き付けて残りの前記雪を液化又は気化させて除去するようにしたので、雪を吹き飛ばすだけでなく、雪自体を消滅させることができるという効果がある。
【００５７】更には、圧縮空気で吹き飛ばすことができない程度に固まっている雪を予め雪かきで除去してから、上記方法により雪を除去するようにしたので、圧縮空気による雪の吹飛し作業を効率的に行うことができるという効果が得られる。
【００５８】また圧縮空気を生成するコンプレッサと、該コンプレッサに接続されたホースと、該ホースに着脱自在に接続され手持ちできる適度な長さに形成されると共に長手方向に貫通した握り部と、該握り部の先端に着脱自在に取り付けられコンプレッサからホース及び握り部を通じて供給される圧縮空気を噴出させるノズルとを備えたので、降り積もった雪を圧縮空気により吹き飛ばすことができるようになる効果があり、またこの結果重労働である除雪作業を一人でも容易に、安全にかつ効率的に行うことができるという効果がある。
【図面の簡単な説明】
【図１】ノズルの斜視図である。
【図２】ノズルの斜視図である。
【図３】ノズルの縦断面図である。
【図４】ノズルの横断面図である。
【図５】握り部にノズルが取り付けられ、ホースが接続されて、該ホースから供給される圧縮空気が握り部を通ってノズルから噴出している状態を示す斜視図である。
【図６】ノズル、握り部及びホースの分解斜視図である。
【図７】除雪装置により屋根の雪降ろしを行い、高圧温水洗浄機により地上の雪を融かしている状態を示す正面及び斜視図である。
【図８】除雪装置により地上の雪を除去している状態を示す正面図である。
【図９】ノズルの斜視図である。
【図１０】ノズルの平面図である。
【図１１】ノズルの縦断面図である。
【図１２】雪かきの頭部の斜視図である。
【図１３】雪かきの頭部の平面図である。
【図１４】雪かきの頭部の正面図である。
【図１５】雪かきの頭部の側面図である。
【図１６】握り部の一部を省略した雪かきの斜視図である。
【図１７】雪かきにより雪を引き寄せて除去している状態を示す斜視図である。
【符号の説明】
１    除雪装置
２    頭部
３    ホース
４    握り部
５    ノズル
６    高所作業車
８    バケット
９    屋根
１０    作業者
１１    雪
２１    雪かき
【図１】
2004346584.tif 000003
【図２】
2004346584.tif 000004
【図３】
2004346584.tif 000005
【図４】
2004346584.tif 000006
【図５】
2004346584.tif 000007
【図６】
2004346584.tif 000008
【図７】
2004346584.tif 000009
【図８】
2004346584.tif 000010
【図９】
2004346584.tif 000011
【図１０】
2004346584.tif 000012
【図１１】
2004346584.tif 000013
【図１２】
2004346584.tif 000014
【図１３】
2004346584.tif 000015
【図１４】
2004346584.tif 000016
【図１５】
2004346584.tif 000017
【図１６】
2004346584.tif 000018
【図１７】
2004346584.tif 000019